(57)【要約】【課題】無線通信システムにおいて端末が制御情報を受信する方法を提供する。【解決手段】一つ以上のリソース集合のそれぞれに対して、複数のリソース単位のうち、ＥＰＤＣＣＨ用のリソース単位を決定するステップと、一つ以上のリソース集合それぞれに対して、ＥＰＤＣＣＨ用のリソース単位上でブラインド復号を行うステップと、を含み、一つ以上のリソース集合はそれぞれ、局部型ＥＰＤＣＣＨ送信又は分散型ＥＰＣＣＨ送信のいずれかのために設定されたものである、制御情報受信方法を提供する。【選択図】図７
2015516729.tif 000002
【特許請求の範囲】
【請求項１】
無線通信システムにおいて端末が制御情報を受信する方法であって、
一つ以上のリソース集合の各リソース集合に対応する複数のリソース単位上でブラインド復号を実行するステップを含み、
前記リソース単位は、下りリンク帯域幅に関係するリソース単位のうち、強化物理下りリンク制御チャネル（ＥＰＤＣＣＨ）用のリソース単位であり、
前記一つ以上のリソース集合はそれぞれ、局部型ＥＰＤＣＣＨ送信又は分散型ＥＰＣＣＨ送信のいずれかのために設定されたものである、方法。
【請求項２】
前記リソース単位はそれぞれ、物理リソースブロック（ＰＲＢ）対であり、前記リソース集合はＰＲＢ集合である、請求項１に記載の方法。
【請求項３】
前記一つ以上のリソース集合それぞれを示す情報は、前記局部型ＥＰＤＣＣＨ送信又は前記分散型ＥＰＣＣＨ送信のうちいずれのために設定されているかが、上位層信号通知で前記端末に伝達される、請求項１に記載の方法。
【請求項４】
前記ＥＰＤＣＣＨ用のリソース単位の決定は、上位層信号通知で伝達されたリソース集合に関係する情報に基づく、請求項１に記載の方法。
【請求項５】
前記一つ以上のリソース集合は、前記局部型ＥＰＤＣＣＨ送信用に設定された第１リソース集合及び前記分散型ＥＰＤＣＣＨ送信用に設定された第２リソース集合であり、前記ＥＰＤＣＣＨ用のリソース単位のうち、前記第１及び第２リソース集合の両方に含まれる重複リソース単位が存在するとき、前記端末は、前記重複リソース単位では、前記局部型ＥＰＤＣＣＨ送信に関係するアンテナポートのうち、前記分散型ＥＰＤＣＣＨ送信に関係するアンテナポート以外のアンテナポートだけが有効であると見なす、請求項１に記載の方法。
【請求項６】
前記一つ以上のリソース集合は、前記局部型ＥＰＤＣＣＨ送信用に設定された第１リソース集合及び前記分散型ＥＰＤＣＣＨ送信用に設定された第２リソース集合であり、前記ＥＰＤＣＣＨ用のリソース単位のうち、前記第１及び第２リソース集合の両方に含まれる重複リソース単位が存在するとき、前記端末は、前記重複リソース単位における局部型ＥＰＤＣＣＨのためのブラインド復号を実行するとき、あらかじめ設定されたアンテナポートを用いる、請求項１に記載の方法。
【請求項７】
前記あらかじめ設定されたアンテナポートは、上位層信号通知で伝達されたものである、請求項６に記載の方法。
【請求項８】
前記局部型ＥＰＤＣＣＨ送信に関係するアンテナポートはアンテナポート１０７、１０８、１０９、１１０を含み、前記分散型ＥＰＤＣＣＨ送信に関係するアンテナポートはアンテナポート１０７、１０９を含む、請求項５又は６に記載の方法。
【請求項９】
前記ＰＲＢ対は４個の強化制御チャネル要素（ＥＣＣＥ）からなる、請求項２に記載の方法。
【請求項１０】
前記ＥＣＣＥは、４個の強化リソース要素グループ（ＥＲＥＧ）からなる、請求項９に記載の方法。
【請求項１１】
前記局部型ＥＰＤＣＣＨ送信は、集合レベルに応じた一つ以上の連続したＥＣＣＥに基づく、請求項１０に記載の方法。
【請求項１２】
前記分散型ＥＰＤＣＣＨ送信は、各ＰＲＢ対に含まれるＥＲＥＧからなるＥＣＣＥに基づく、請求項１０に記載の方法。
【請求項１３】
無線通信システムにおける端末装置であって、
受信モジュールと、
プロセッサと、を含み、
前記プロセッサは、一つ以上のリソース集合の各リソース集合に対応する複数のリソース単位上でブラインド復号を実行し、
前記リソース単位は、下りリンク帯域幅に関係するリソース単位のうち、強化物理下りリンク制御チャネル（ＥＰＤＣＣＨ）用のリソース単位であり、
前記一つ以上のリソース集合はそれぞれ、局部型ＥＰＤＣＣＨ送信又は分散型ＥＰＣＣＨ送信のいずれかのために設定されたものである、端末装置。
【発明の詳細な説明】
【技術分野】
【０００１】
本発明は無線通信システムに関し、特に、強化物理下りリンク制御チャネル（ＥＰＤＣＣＨ）を用いた制御情報受信方法及び装置に関する。
【背景技術】
【０００２】
音声又はデータなどのような種々の通信サービスを提供するために、無線通信システムが広範囲に展開されている。一般に、無線通信システムは、利用可能なシステムリソース（帯域幅、送信電力など）を共有して複数ユーザとの通信をサポートできる多元接続システムとなっている。多元接続システムの例には、符号分割多元接続（ＣＤＭＡ）システム、周波数分割多元接続（ＦＤＭＡ）システム、時分割多元接続（ＴＤＭＡ）システム、直交周波数分割多元接続（ＯＦＤＭＡ）システム、単一搬送波周波数分割多元接続（ＳＣ−ＦＤＭＡ）システム、多搬送波周波数分割多元接続（ＭＣ−ＦＤＭＡ）システムなどがある。
【発明の概要】
【発明が解決しようとする課題】
【０００３】
本明細書では、ＥＰＤＣＣＨのブラインド復号を用いた制御情報受信方法による実施例が開示される。
【０００４】
本発明で達成しようとする技術的課題は、上で言及している技術的課題に制限されるものではなく、言及していない別の技術的課題は、以下の記載から、本発明の属する技術の分野における通常の知識を有する者には明確に理解されるであろう。
【課題を解決するための手段】
【０００５】
本発明の第１技術的態様は、無線通信システムにおいて端末が制御情報を受信する方法であって、一つ以上のリソース集合のそれぞれに対して、各リソース集合に対応する複数のリソース単位上でブラインド復号を行うステップを含み、リソース単位は、下りリンク帯域幅に関係するリソース単位のうち、ＥＰＤＣＣＨ用のリソース単位であり、一つ以上のリソース集合のそれぞれは、局部型（Ｌｏｃａｌｉｚｅｄ）ＥＰＤＣＣＨ送信又は分散型（Ｄｉｓｔｒｉｂｕｔｅｄ）ＥＰＣＣＨ送信のいずれかのために設定されたものである、制御情報受信方法である。
【０００６】
本発明の第２技術的な態様は、無線通信システムにおける端末装置であって、受信モジュールと、プロセッサと、を備え、プロセッサは、一つ以上のリソース集合のそれぞれに対して、各リソース集合に対応する複数のリソース単位上でブラインド復号を行い、リソース単位は、下りリンク帯域幅に関係するリソース単位のうち、ＥＰＤＣＣＨ用のリソース単位であり、一つ以上のリソース集合のそれぞれは、局部型ＥＰＤＣＣＨ送信又は分散型ＥＰＣＣＨ送信のいずれかのために設定されたものである、端末装置である。
【０００７】
本発明の第１及び第２技術的態様は、次の事項を含むことができる。
【０００８】
リソース単位は物理リソースブロック（ＰＲＢ）対であり、リソース集合はＰＲＢセットであってもよい。
【０００９】
一つ以上のリソース集合のそれぞれが局部型ＥＰＤＣＣＨ送信又は分散型ＥＰＣＣＨ送信のうちいずれのために設定されたかは、上位層信号通知によって端末に伝達してもよい。
【００１０】
ＥＰＤＣＣＨ用のリソース単位の決定は、上位層信号通知で伝達されたリソース集合に関係する情報に基づいてもよい。
【００１１】
一つ以上のリソース集合が局部型ＥＰＤＣＣＨ送信用に設定された第１リソース集合及び分散型ＥＰＤＣＣＨ送信用に設定された第２リソース集合であり、ＥＰＤＣＣＨ用のリソース単位のうち、第１及び第２リソース集合の両方に含まれる重複リソース単位が存在する場合、端末は、重複リソース単位では、局部型ＥＰＤＣＣＨ送信に関係するアンテナポートのうち、分散型ＥＰＤＣＣＨ送信に関係するアンテナポート以外のアンテナポートだけが有効であると見なしてもよい。
【００１２】
一つ以上のリソース集合が局部型ＥＰＤＣＣＨ送信用に設定された第１リソース集合及び分散型ＥＰＤＣＣＨ送信用に設定された第２リソース集合であり、ＥＰＤＣＣＨ用のリソース単位のうち、第１及び第２リソース集合の両方に含まれる重複リソース単位が存在する場合、端末は、重複リソース単位における局部型ＥＰＤＣＣＨのためのブラインド復号時に、あらかじめ設定されたアンテナポートを用いてもよい。
【００１３】
あらかじめ設定されたアンテナポートは、上位層信号通知で伝達されたものであってもよい。
【００１４】
局部型ＥＰＤＣＣＨ送信に関係するアンテナポートは、アンテナポート１０７、１０８、１０９、１１０を含み、分散型ＥＰＤＣＣＨ送信に関係するアンテナポートは、アンテナポート１０７、１０９を含んでもよい。
【００１５】
ＰＲＢ対は４個の強化制御チャネル要素（Ｅｎｈａｎｃｅｄ  Ｃｏｎｔｒｏｌ  Ｃｈａｎｎｅｌ  Ｅｌｅｍｅｎｔ、ＥＣＣＥ）からなってもよい。
【００１６】
ＥＣＣＥは４個の強化リソース要素グループ（Ｅｎｈａｎｃｅｄ  Ｒｅｓｏｕｒｃｅ  Ｅｌｅｍｅｎｔ  Ｇｒｏｕｐ、ＥＲＥＧ）からなってもよい。
【００１７】
局部型ＥＰＤＣＣＨ送信は、集合レベルに応じた一つ以上の連続したＥＣＣＥに基づいてもよい。
【００１８】
分散型ＥＰＤＣＣＨ送信は、各ＰＲＢ対に含まれたＥＲＥＧからなるＥＣＣＥに基づいてもよい。
【発明の効果】
【００１９】
本発明によれば、ＥＰＤＣＣＨの送信タイプに応じて効率的にブラインド復号を行うことが可能になる。
【００２０】
本発明から得られる効果は、以上に言及した効果に制限されず、言及していない別の効果は、以下の記載から、本発明の属する技術の分野における通常の知識を有する者には明確に理解されるであろう。
【００２１】
本明細書に添付される図面は、本発明に関する理解を提供するためのもので、本発明の種々の実施形態を示し、明細書の記載と共に本発明の原理を説明するためのものである。
【図面の簡単な説明】
【００２２】
【図１】無線フレームの構造を示す図である。
【図２】下りリンクスロットにおけるリソースグリッドを示す図である。
【図３】下りリンクサブフレームの構造を示す図である。
【図４】上りリンクサブフレームの構造を示す図である。
【図５】探索空間を説明するための図である。
【図６】参照信号を説明するための図である。
【図７】本発明の実施例による、ＥＰＤＣＣＨのためのブラインド復号／探索空間の設定を説明するための図である。
【図８】本発明の実施例による、ＥＰＤＣＣＨのためのブラインド復号／探索空間の設定を説明するための図である。
【図９】本発明の実施例による、アンテナポートマッピング及び復号方法を説明するための図である。
【図１０】本発明の実施例による、ＥＰＤＣＣＨ候補設定方法及び復号方法を説明するための図である。
【図１１】本発明の実施例による、ＥＰＤＣＣＨリソース集合とアンテナポートとのマッピングを説明するための図である。
【図１２】本発明の実施例による、一つのＰＲＢ対に局部型ＥＰＤＣＣＨ送信と分散型ＥＰＤＣＣＨ送信とが混在する場合のポート割当を説明するための図である。
【図１３】本発明の実施例による、一つのＰＲＢ対に局部型ＥＰＤＣＣＨ送信と分散型ＥＰＤＣＣＨ送信とが混在する場合のポート割当を説明するための図である。
【図１４】本発明の実施例による、一つのＰＲＢ対に局部型ＥＰＤＣＣＨ送信と分散型ＥＰＤＣＣＨ送信とが混在する場合のポート割当を説明するための図である。
【図１５】本発明の実施例による、各ＰＲＢ対別アンテナポート数の決定を説明するための図である。
【図１６】本発明の実施例による、探索空間の割当を説明するための図である。
【図１７】本発明の実施例による、探索空間の割当を説明するための図である。
【図１８】本発明の実施例による、ＥＰＤＣＣＨと復調参照信号ポートとの関係を説明するための図である。
【図１９】送受信装置の構成を示す図である。
【発明を実施するための形態】
【００２３】
以下の実施例は、本発明の構成要素及び特徴を所定の形態で結合したものである。各構成要素又は特徴は、別に明示しない限り、選択的なものと考えてよい。各構成要素又は特徴は、他の構成要素又は特徴と結合しない形態で実施されることもある。また、一部の構成要素及び／又は特徴が結合して本発明の実施例を構成することもある。本発明の実施例で説明される動作の順序は変更してもよい。ある実施例の一部の構成又は特徴は、他の実施例に含めてもよいし、他の実施例の対応する構成又は特徴に代えてもよい。
【００２４】
本明細書では、本発明の実施例を、基地局と端末との間におけるデータ送受信の関係を中心に説明する。ここで、基地局は、端末と直接に通信を行うネットワークの終端ノード（ｔｅｒｍｉｎａｌ  ｎｏｄｅ）としての意味を有する。本明細書において、基地局によって行われるとした特定動作は、場合によっては、基地局の上位ノードによって行われることもある。
【００２５】
すなわち、基地局を含む複数のネットワークノードからなるネットワークにおいて、端末との通信のために行われる種々の動作は、基地局又は基地局以外の他のネットワークノードによって行われるということは明らかである。「基地局（Ｂａｓｅ  Ｓｔａｔｉｏｎ、ＢＳ）」は、固定局、ノードＢ、強化ノードＢ（ｅＮＢ）、アクセスポイント（ＡＰ）などの用語に代えてもよい。中継器は、リレーノード（ＲＮ）、中継局（ＲＳ）などの用語に代えてもよい。また、「端末（Ｔｅｒｍｉｎａｌ）」は、ユーザ装置（ＵＥ）、移動機（ＭＳ）、移動加入者局（ＭＳＳ）、加入者局（ＳＳ）などの用語に代えてもよい。
【００２６】
以下の説明で使われる特定用語は、本発明の理解を助けるために提供されたものであり、これらの特定用語の使用は、本発明の技術的思想から逸脱することなく他の形態に変更してもよい。
【００２７】
場合によっては、本発明の概念があいまいになることを避けるために、公知の構造及び装置は省略、又は各構造及び装置の核心機能を中心にしたブロック図の形式で示すことがある。また、本明細書全体を通じて同一の構成要素には同一の図面符号を付して説明する。
【００２８】
本発明の実施例は、無線接続システムであるＩＥＥＥ ８０２システム、３ＧＰＰシステム、３ＧＰＰ ＬＴＥ及びＬＴＥ−Ａ（ＬＴＥ−Ａｄｖａｎｃｅｄ）システム、及び３ＧＰＰ２システムのうち少なくとも一つのための標準文書によってサポートされる。すなわち、本発明の実施例において本発明の技術的思想を明確にするために説明を省いた段階又は部分は、上記の標準文書でサポートされる。なお、本明細書で開示しているすべての用語は、上記の標準文書によって説明される。
【００２９】
以下の技術は、ＣＤＭＡ、ＦＤＭＡ、ＴＤＭＡ、ＯＦＤＭＡ、ＳＣ−ＦＤＭＡなどのような種々の無線接続システムに利用することができる。ＣＤＭＡは、はん用地上無線接続（ＵＴＲＡ）又はＣＤＭＡ２０００のような無線技術によって具現することができる。ＴＤＭＡは、ＧＳＭ（登録商標）／一般パケット無線サービス（ＧＰＲＳ）／ＧＳＭ（登録商標）進化用強化データ速度（ＥＤＧＥ）のような無線技術によって具現することができる。ＯＦＤＭＡは、ＩＥＥＥ ８０２．１１（Ｗｉ−Ｆｉ）、ＩＥＥＥ ８０２．１６（ＷｉＭＡＸ）、ＩＥＥＥ ８０２−２０、進化ＵＴＲＡ（Ｅ−ＵＴＲＡ）などのような無線技術によって具現することができる。ＵＴＲＡは、はん用移動体通信システム（ＵＭＴＳ）の一部である。３ＧＰＰ ＬＴＥは、Ｅ−ＵＴＲＡを用いる進化ＵＭＴＳ（Ｅ−ＵＭＴＳ）の一部であり、下りリンクでＯＦＤＭＡを採用し、上りリンクでＳＣ−ＦＤＭＡを採用する。ＬＴＥ−Ａは、３ＧＰＰ ＬＴＥの進化系である。ＷｉＭＡＸは、ＩＥＥＥ ８０２．１６ｅ規格（ＷｉｒｅｌｅｓｓＭＡＮ−ＯＦＤＭＡ  Ｒｅｆｅｒｅｎｃｅ  Ｓｙｓｔｅｍ）及び高度ＩＥＥＥ ８０２．１６ｍ規格（ＷｉｒｅｌｅｓｓＭＡＮ−ＯＦＤＭＡ  Ａｄｖａｎｃｅｄ  ｓｙｓｔｅｍ）によって説明することができる。明確性のために、以下では、３ＧＰＰ ＬＴＥ及びＬＴＥ−Ａシステムを中心にして説明するが、本発明の技術的思想はこれに制限されない。
【００３０】
図１を参照して無線フレームの構造について説明する。
【００３１】
セルラＯＦＤＭ無線パケット通信システムにおいて、上り／下りリンクデータパケット送信はサブフレーム単位に行われ、１サブフレームは、複数のＯＦＤＭシンボルを含む一定の時間区間と定義される。３ＧＰＰ ＬＴＥ標準では、周波数分割２重通信（ＦＤＤ）に適用可能なタイプ１無線フレーム構造と、時分割２重通信（ＴＤＤ）に適用可能なタイプ２無線フレーム構造をサポートする。
【００３２】
図１（ａ）は、タイプ１無線フレームの構造を例示する図である。下りリンク無線フレームは１０個のサブフレームで構成され、１個のサブフレームは時間領域の２個のスロットで構成される。１個のサブフレームを送信するために掛かる時間を送信時間間隔（ｔｒａｎｓｍｉｓｓｉｏｎ  ｔｉｍｅ  ｉｎｔｅｒｖａｌ、ＴＴＩ）という。例えば、１サブフレームの長さは１ｍｓであり、１スロットの長さは０．５ｍｓであってよい。１スロットは時間領域において複数のＯＦＤＭシンボルを含み、周波数領域において複数のリソースブロック（ＲＢ）を含む。３ＧＰＰ ＬＴＥシステムでは、下りリンクにおいてＯＦＤＭＡを用いるため、ＯＦＤＭシンボルが１シンボル区間を表す。ＯＦＤＭシンボルはＳＣ−ＦＤＭＡシンボル又はシンボル区間と呼ばれることもある。ＲＢはリソース割当単位であり、１スロットにおいて複数の連続した副搬送波を含むことができる。
【００３３】
１スロットに含まれるＯＦＤＭシンボルの数は、循環プレフィクス（Ｃｙｃｌｉｃ  Ｐｒｅｆｉｘ、ＣＰ）の構成によって異なることがある。ＣＰには拡張ＣＰ（ｅｘｔｅｎｄｅｄ  ＣＰ）と正規ＣＰ（ｎｏｒｍａｌ  ＣＰ）とがある。例えば、ＯＦＤＭシンボルが正規ＣＰによって構成された場合、１スロットに含まれるＯＦＤＭシンボルの数は７個であってよい。ＯＦＤＭシンボルが拡張ＣＰによって構成された場合、１ ＯＦＤＭシンボルの長さが増加するため、１スロットに含まれるＯＦＤＭシンボルの数は、正規ＣＰの場合に比べて少ない。拡張ＣＰの場合、例えば、１スロットに含まれるＯＦＤＭシンボルの数は６個であってよい。端末が速い速度で移動する場合などのようにチャネル状態が不安定な場合は、シンボル間干渉をより減らすために拡張ＣＰを用いることができる。
【００３４】
正規ＣＰが用いられる場合、１スロットは７個のＯＦＤＭシンボルを含み、１サブフレームは１４個のＯＦＤＭシンボルを含む。このとき、各サブフレームにおける先頭２個又は３個のＯＦＤＭシンボルは、物理下りリンク制御チャネル（ＰＤＣＣＨ）に割り当て、残りのＯＦＤＭシンボルは物理下りリンク共有チャネル（ＰＤＳＣＨ）に割り当てることができる。
【００３５】
図１（ｂ）は、タイプ２無線フレーム構造を示す図である。タイプ２無線フレームは、２ハーフフレームで構成される。各ハーフフレームは、５サブフレームと、下りリンクパイロット時間スロット（ＤｗＰＴＳ）、保護区間（Ｇｕａｒｄ  Ｐｅｒｉｏｄ、ＧＰ）及び上りリンクパイロット時間スロット（ＵｐＰＴＳ）とで構成され、ここで、１サブフレームは２スロットで構成される。ＤｗＰＴＳは、端末での初期セル探索、同期化又はチャネル推定に用いられる。ＵｐＰＴＳは、基地局でのチャネル推定と端末の上りリンク送信同期を取るために用いられる。保護区間は、上りリンクと下りリンクとの間の下りリンク信号の多重経路遅延によって、上りリンクで生じる干渉を除去するための区間である。一方、無線フレームのタイプによらず、１個のサブフレームは２個のスロットで構成される。
【００３６】
無線フレームの構造は例示に過ぎず、無線フレームに含まれるサブフレームの数、サブフレームに含まれるスロットの数、又はスロットに含まれるシンボルの数は様々に変更することができる。
【００３７】
図２は、下りリンクスロットにおけるリソースグリッドを示す図である。同図で、１下りリンクスロットは時間領域で７個のＯＦＤＭシンボルを含み、１リソースブロック（ＲＢ）は周波数領域で１２個の副搬送波を含むとしたが、本発明はこれに制限されない。例えば、正規ＣＰでは１スロットが７ ＯＦＤＭシンボルを含むが、拡張ＣＰでは１スロットが６ ＯＦＤＭシンボルを含んでもよい。リソースグリッド上のそれぞれの要素をリソース要素と呼ぶ。１リソースブロックは１２×７個のリソース要素を含む。下りリンクスロットに含まれるリソースブロックの個数ＮDLは、下りリンク送信帯域幅に依存する。上りリンクスロットの構造は下りリンクスロットの構造と同一であってもよい。
【００３８】
図３は、下りリンクサブフレームの構造を示す図である。１サブフレーム内で１番目のスロットの先頭における最大３個のＯＦＤＭシンボルは、制御チャネルが割り当てられる制御領域に該当する。残りのＯＦＤＭシンボルは、物理下りリンク共有チャネル（ＰＤＳＣＨ）が割り当てられるデータ領域に該当する。３ＧＰＰ ＬＴＥシステムで用いられる下りリンク制御チャネルには、例えば、物理制御フォーマット指示子チャネル（ＰＣＦＩＣＨ）、ＰＤＣＣＨ、物理ＨＡＲＱ指示子チャネル（ＰＨＩＣＨ）などがある。ＰＣＦＩＣＨは、サブフレームの最初のＯＦＤＭシンボルで送信され、サブフレーム内の制御チャネル送信に使われるＯＦＤＭシンボルの個数に関する情報を含む。ＰＨＩＣＨは、上りリンク送信の応答としてＨＡＲＱ ＡＣＫ／ＮＡＣＫ信号を含む。ＰＤＣＣＨで送信される制御情報を、下りリンク制御情報（ＤＣＩ）という。ＤＣＩは、上りリンク又は下りリンクスケジュール情報を含んだり、任意の端末グループに対する上りリンク送信電力制御命令を含んだりする。ＰＤＣＣＨは、下りリンク共有チャネル（ＤＬ−ＳＣＨ）のリソース割当及び送信フォーマット、上りリンク共有チャネル（ＵＬ−ＳＣＨ）のリソース割当情報、呼出しチャネル（ＰＣＨ）の呼出し情報、ＤＬ−ＳＣＨ上のシステム情報、ＰＤＳＣＨ上で送信されるランダム接続応答のような上位層制御メッセージのリソース割当、任意の端末グループ内の個別端末に対する送信電力制御命令の集合、送信電力制御情報、ＶｏＩＰの活性化などを含むことができる。複数のＰＤＣＣＨが制御領域内で送信され、端末は複数のＰＤＣＣＨを監視することもできる。ＰＤＣＣＨは一つ以上の連続する制御チャネル要素（ＣＣＥ）の集合（ａｇｇｒｅｇａｔｉｏｎ）で送信される。ＣＣＥは、無線チャネルの状態に基づく符号化速度でＰＤＣＣＨを提供するために用いられる論理割当単位である。ＣＣＥは、複数のリソース要素グループに対応する。ＰＤＣＣＨのフォーマット及び利用可能なビット数は、ＣＣＥの個数とＣＣＥによって提供される符号化速度との間の相関関係によって決定される。基地局は、端末に送信されるＤＣＩによってＰＤＣＣＨフォーマットを決定し、制御情報に巡回冗長検査ビット（ＣＲＣ）を付加する。ＣＲＣは、ＰＤＣＣＨの所有者又は用途によって無線ネットワーク一時識別子（Ｒａｄｉｏ  Ｎｅｔｗｏｒｋ  Ｔｅｍｐｏｒａｒｙ  Ｉｄｅｎｔｉｆｉｅｒ、ＲＮＴＩ）という識別子でマスクされる。ＰＤＣＣＨが特定端末に対するものであれば、端末のセルＲＮＴＩ（Ｃ−ＲＮＴＩ）識別子をＣＲＣにマスクすることができる。又は、ＰＤＣＣＨが呼出しメッセージに対するものであれば、呼出し指示子識別子（Ｐ−ＲＮＴＩ）をＣＲＣにマスクすることができる。ＰＤＣＣＨがシステム情報（より具体的に、システム情報ブロック（ＳＩＢ））に対するものであれば、システム情報識別子及びシステム情報ＲＮＴＩ（ＳＩ−ＲＮＴＩ）をＣＲＣにマスクすることができる。端末のランダム接続プリアンブルの送信に対する応答であるランダム接続応答を示すために、ランダム接続ＲＮＴＩ（ＲＡ−ＲＮＴＩ）をＣＲＣにマスクすることができる。
【００３９】
図４は、上りリンクサブフレームの構造を示す図である。上りリンクサブフレームは、周波数領域で制御領域とデータ領域とに区別できる。制御領域には上りリンク制御情報を含む物理上りリンク制御チャネル（ＰＵＣＣＨ）が割り当てられる。データ領域には、ユーザデータを含む物理上りリンク共有チャネル（ＰＵＳＣＨ）が割り当てられる。単一搬送波特性を維持するために、一つの端末はＰＵＣＣＨとＰＵＳＣＨとを同時に送信しない。一つの端末のＰＵＣＣＨは、サブフレームにおいてリソースブロック対（ＲＢ  ｐａｉｒ）に割り当てられる。リソースブロック対に属するリソースブロックは、２スロットにおいて別個の副搬送波を占める。これを、ＰＵＣＣＨに割り当てられるリソースブロック対がスロット境界で周波数ホップ（ｆｒｅｑｕｅｎｃｙ−ｈｏｐｐｅｄ）するという。
【００４０】
ＤＣＩフォーマット
【００４１】
現在ＬＴＥ−Ａ（ｒｅｌｅａｓｅ  １０）によれば、ＤＣＩフォーマット０、１、１Ａ、１Ｂ、１Ｃ、１Ｄ、２、２Ａ、２Ｂ、２Ｃ、３、３Ａ、４が定義されている。ここで、ＤＣＩフォーマット０、１Ａ、３、３Ａは、後述するブラインド復号回数を減らすように、同一のメッセージサイズを有するように規定されている。このようなＤＣＩフォーマットは、送信しようする制御情報の用途によって、ｉ）上りリンク承認に用いられるＤＣＩフォーマット０、４、ii）下りリンクスケジュール割当に用いられるＤＣＩフォーマット１、１Ａ、１Ｂ、１Ｃ、１Ｄ、２、２Ａ、２Ｂ、２Ｃ、iii ）電力制御命令のためのＤＣＩフォーマット３、３Ａに区別できる。
【００４２】
上りリンク承認に用いられるＤＣＩフォーマット０は、後述する搬送波集約において必要な搬送波オフセット（ｃａｒｒｉｅｒ  ｉｎｄｉｃａｔｏｒ）、ＤＣＩフォーマット０と１Ａとを区別するために用いられるオフセット（ｆｌａｇ  ｆｏｒ  ｆｏｒｍａｔ  ０／ｆｏｒｍａｔ  １Ａ  ｄｉｆｆｅｒｅｎｔｉａｔｉｏｎ）、上りリンクのＰＵＳＣＨ送信において周波数ホップが用いられるか否かを知らせるホップフラグ（ｆｒｅｑｕｅｎｃｙ  ｈｏｐｐｉｎｇ  ｆｌａｇ）、端末がＰＵＳＣＨ送信に用いるべきリソースブロック割当に関する情報、変調及び符号化方式（ＭＣＳ）、ＨＡＲＱプロセスと関連して初期送信のためにバッファを空にするために用いられる新規データ指示子、ＰＵＳＣＨのための送信電力制御命令（ＴＰＣ）、復調参照信号（ＤＭＲＳ）のための巡回シフト情報（ｃｙｃｌｉｃ  ｓｈｉｆｔ  ｆｏｒ  ＤＭＲＳ  ａｎｄ  ＯＣＣ  ｉｎｄｅｘ）、ＴＤＤ動作に必要な上りリンクインデクス及びチャネル品質情報要求情報（ＣＳＩ  ｒｅｑｕｅｓｔ）などを含むことができる。一方、ＤＣＩフォーマット０は同期式ＨＡＲＱを用いているため、下りリンクスケジュール割当に関するＤＣＩフォーマットとは違い、冗長バージョンを含まない。搬送波オフセットは、搬送波間（ｃｒｏｓｓ−ｃａｒｒｉｅｒ）スケジュールが用いられない場合にはＤＣＩフォーマットに含まれない。
【００４３】
ＤＣＩフォーマット４は、ＬＴＥ−Ａリリース１０で新たに追加されたものであり、ＬＴＥ−Ａにおいて上りリンク送信に空間多重化が適用されることをサポートする。ＤＣＩフォーマット４は、ＤＣＩフォーマット０と比較して空間多重化のための情報を更に含むため、より大きいメッセージサイズを有し、ＤＣＩフォーマット０に含まれる制御情報に追加の制御情報を更に含む。すなわち、ＤＣＩフォーマット４は、２番目の送信ブロックのための変調及び符号化方式、多重アンテナ送信のためのプリコーディング情報、測定参照信号要求（ＳＲＳ  ｒｅｑｕｅｓｔ）情報を更に含む。一方、ＤＣＩフォーマット４はＤＣＩフォーマット０よりも大きいサイズを有するため、ＤＣＩフォーマット０と１Ａとを区別するオフセットは含まない。
【００４４】
下りリンクスケジュール割当に関連したＤＣＩフォーマット１、１Ａ、１Ｂ、１Ｃ、１Ｄ、２、２Ａ、２Ｂ、２Ｃは、空間多重化をサポートしない１、１Ａ、１Ｂ、１Ｃ、１Ｄと、空間多重化をサポートする２、２Ａ、２Ｂ、２Ｃとに区別できる。
【００４５】
ＤＣＩフォーマット１Ｃは、簡潔（ｃｏｍｐａｃｔ）下りリンク割当であって、周波数連続的割当だけをサポートし、他のフォーマットと比較して搬送波オフセット、冗長バージョンを含まない。
【００４６】
ＤＣＩフォーマット１Ａは、下りリンクスケジュール及びランダム接続手順のためのフォーマットである。ここには、搬送波オフセット、下りリンク分散型送信が用いられるか否かを知らせる表示子、ＰＤＳＣＨリソース割当情報、変調及び符号化方式、冗長バージョン、ソフト結合のために用いられるプロセッサを知らせるためのＨＡＲＱプロセッサ番号、ＨＡＲＱプロセスと関連して初期送信のためにバッファを空にするために用いられる新規データオフセット、ＰＵＣＣＨのための送信電力制御命令、ＴＤＤ動作で必要な上りリンクインデクスなどを含むことができる。
【００４７】
ＤＣＩフォーマット１は、大部分の制御情報がＤＣＩフォーマット１Ａと略同様になっている。ただし、ＤＣＩフォーマット１Ａが連続したリソース割当に関係するものであるのに対し、ＤＣＩフォーマット１は不連続したリソース割当をサポートする。したがって、ＤＣＩフォーマット１はリソース割当ヘッダを更に含むため、リソース割当の柔軟性が増大することのトレードオフとして、制御信号通知オーバヘッドは多少増加する。
【００４８】
ＤＣＩフォーマット１Ｂ、１Ｄは、ＤＣＩフォーマット１と比較すると、プリコーディング情報を更に含むという点で共通する。ＤＣＩフォーマット１ＢはＰＭＩ確認を、ＤＣＩフォーマット１Ｄは下りリンク電力オフセット情報をそれぞれ含む。その他ＤＣＩフォーマット１Ｂ、１Ｄに含まれた制御情報は、ＤＣＩフォーマット１Ａのそれとほとんど一致する。
【００４９】
ＤＣＩフォーマット２、２Ａ、２Ｂ、２Ｃは、基本的にＤＣＩフォーマット１Ａに含まれた制御情報の大部分を含むと共に、空間多重化のための情報を更に含む。それらの情報には、２番目の送信ブロックに関する変調及び符号化方式、新規データオフセット、及び冗長バージョンが該当する。
【００５０】
ＤＣＩフォーマット２は、閉ループ空間多重化をサポートし、２Ａは開ループ空間多重化をサポートする。両者ともプリコーディング情報を含む。ＤＣＩフォーマット２Ｂは、ビーム形成と結合された２重階層（ｄｕａｌ  ｌａｙｅｒ）空間多重化をサポートし、ＤＭＲＳのための巡回シフト情報を更に含む。ＤＣＩフォーマット２ＣはＤＣＩフォーマット２Ｂの拡張として理解してもよく、８個のレイヤまで空間多重化をサポートする。
【００５１】
ＤＣＩフォーマット３、３Ａは、前述した上りリンク承認及び下りリンクスケジュール割当のためのＤＣＩフォーマットに含まれている送信電力制御情報を補完、すなわち半永続的（ｓｅｍｉ−ｐｅｒｓｉｓｔｅｎｔ）スケジュールをサポートするために用いることができる。端末当たり、ＤＣＩフォーマット３は１ビット、３Ａは２ビットの命令が用いられる。
【００５２】
上述のようなＤＣＩフォーマットのいずれか一つを一つのＰＤＣＣＨで送信し、複数のＰＤＣＣＨを制御領域内で送信することができる。端末は複数のＰＤＣＣＨを監視することができる。
【００５３】
ＰＤＣＣＨ処理
【００５４】
ＰＤＣＣＨをＲＥにマップするとき、連続した論理割当単位である制御チャネル要素（ＣＣＥ）を用いる。１個のＣＣＥは複数（例えば、９個）のリソース要素グループ（ＲＥＧ）を含み、１個のＲＥＧは、参照信号（ＲＳ）を除外した状態で隣接する４個のＲＥで構成される。
【００５５】
特定のＰＤＣＣＨのために必要なＣＣＥの個数は、制御情報のサイズであるＤＣＩペイロード、セル帯域幅、チャネル符号化速度などによって異なる。具体的には、特定のＰＤＣＣＨのためのＣＣＥの個数を、次の表１のように、ＰＤＣＣＨフォーマットによって定義することができる。
【表１】
2015516729.tif 000003
【００５６】
前述した通り、ＰＤＣＣＨには４種類のフォーマットのいずれか一つを用いることができるが、それが端末には表示されない。そのため、端末にとってはＰＤＣＣＨフォーマットを知らないまま復号をしなければならない。これをブラインド復号という。ただし、端末が下りリンクに利用可能な全ＣＣＥをＰＤＣＣＨフォーマットごとに復号することは大きな負担となるため、スケジューラに対する制約及び復号試行回数を考慮して探索空間を定義する。
【００５７】
すなわち、探索空間は、集合レベル（Ａｇｇｒｅｇａｔｉｏｎ  Ｌｅｖｅｌ）上で端末が復号を試みるべきＣＣＥからなる候補ＰＤＣＣＨの集合である。ここで、集合レベル及びＰＤＣＣＨ候補の数を次の表２のように定義することができる。
【表２】
2015516729.tif 000004
【００５８】
上記の表２からわかるように、４種類の集合レベルが存在するため、端末は集合レベルごとに複数の探索空間を有する。また、上記の表２に示すように、探索空間は、端末特定探索空間と共通探索空間とに区別できる。端末特定探索空間（Ｕｓｅｒ  ｓｐｅｃｉｆｉｃ  ｓｅａｒｃｈ  ｓｐａｃｅ、ＵＳＳ）は特定の端末のためのものであり、各端末は、端末特定探索空間を監視して（可能なＤＣＩフォーマットによってＰＤＣＣＨ候補集合に対して復号を試みて）、ＰＤＣＣＨにマスクされているＲＮＴＩ及びＣＲＣを確認し、有効な場合、制御情報を取得することができる。
【００５９】
共通探索空間（Ｃｏｍｍｏｎ  ｓｅａｒｃｈ  ｓｐａｃｅ、ＣＳＳ）は、システム情報に対する動的スケジュール又は呼出しメッセージなどを含め、複数の端末又は全端末がＰＤＣＣＨを受信する必要がある場合のためのものである。ただし、ＣＳＳは、リソース運用上、特定端末のために用いてもよい。また、ＣＳＳは端末特定探索空間と重複してもよい。複数の端末のための制御情報には、ランダム接続識別子（ＲＡ−ＲＮＴＩ）、システム情報識別子（ＳＩ−ＲＮＴＩ）又は呼出し識別子（Ｐ−ＲＮＴＩ）のいずれか一つをマスクすることができる。
【００６０】
上記の探索空間は具体的に次の式１によって決定することができる。
【数１】
2015516729.tif 000005
【００６１】
ここで、Ｌは集合レベル、ＹｋはＲＮＴＩ及びサブフレーム番号ｋによって決定される変数、ｍ’はＰＤＣＣＨ候補数を表す。ｍ’は、搬送波集約が適用された場合にｍ’＝ｍ＋Ｍ（Ｌ）・ｎＣＩであり、そうでない場合はｍ’＝ｍであり、ここで、ｍ＝０，・・・，Ｍ（Ｌ）−１であり、Ｍ（Ｌ）はＰＤＣＣＨ候補数である。また、ＮＣＣＥ，ｋはｋ番目のサブフレームで制御領域の全体ＣＣＥ個数を表し、ｉは各ＰＤＣＣＨ候補において個別ＣＣＥを指定する因子を表し、ｉ＝０，・・・，Ｌ−１である。共通探索空間では、Ｙｋは常に０と決定される。
【００６２】
図５は、上記の式１によって定義できる各集合レベルでの端末特定探索空間（陰影部分）を示す。ここで、搬送波集約は適用されておらず、また、ＮＣＣＥ，ｋは、説明の便宜のために３２個とした。
【００６３】
図５の（ａ）、（ｂ）、（ｃ）、（ｄ）はそれぞれ、集合レベル１、２、４、８の場合を例示しており、数字はＣＣＥ番号を表す。図５で、各集合レベルにおいて探索空間の開始ＣＣＥは、上述したようにＲＮＴＩ及びサブフレーム番号ｋで決定されるが、一つの端末に対して同一のサブフレーム内でモジュロ関数及びＬによって集合レベルごとに異なるように決定されてもよく、Ｌによって常に集合レベルの倍数だけと決定される。以下の説明において、Ｙｋは例示的にＣＣＥ番号１８と前提した。開始ＣＣＥから端末は、当該集合レベルによって決定されるＣＣＥ単位で順次に復号を試みる。例えば、図５の（ｂ）で、端末は、開始ＣＣＥであるＣＣＥ番号４から集合レベルによって２個のＣＣＥ単位で復号を試みる。
【００６４】
上述した通り、端末は探索空間に対して復号を試みるが、この復号試行回数は、ＤＣＩフォーマット及びＲＲＣ信号通知によって指示される送信モードによって決定される。搬送波集約が適用されない場合、端末は共通探索空間に対してＰＤＣＣＨ候補数６個のそれぞれに対して２種類のＤＣＩサイズ（ＤＣＩフォーマット０／１Ａ／３／３Ａ、及びＤＣＩフォーマット１Ｃ）を考慮するため、最大１２回の復号試行が必要である。端末特定探索空間に対しては、ＰＤＣＣＨ候補数（６＋６＋２＋２＝１６）に対して２種類のＤＣＩサイズを考慮するため、最大３２回の復号試行が必要である。したがって、搬送波集約が適用されない場合、最大４４回の復号試行が必要である。
【００６５】
一方、搬送波集約が適用される場合は、下りリンクリソース（構成搬送波）の数だけの端末特定探索空間及びＤＣＩフォーマット４のための復号が追加されるため、最大復号回数は更に増加することになる。
【００６６】
参照信号
【００６７】
無線通信システムにおいてパケットを送信するとき、パケットは無線チャネルを介して送信されるため、送信過程で信号の歪みが発生することがある。歪んだ信号を受信側で正しく受信するためには、チャネル情報を用いて受信信号から歪みを補正しなければならない。チャネル情報を知るために、送信側、受信側の両方で知っている信号を送信し、当該信号がチャネルを介して受信されるときの歪みの度合によってチャネル情報を知る方法を主に用いる。この信号をパイロット信号又は参照信号（Ｒｅｆｅｒｅｎｃｅ  Ｓｉｇｎａｌ、ＲＳ）という。
【００６８】
多元アンテナを用いてデータを送受信する場合は、各送信アンテナと受信アンテナとの間のチャネル状況を知らなければ正しい信号を受信することができない。そのため、送信アンテナごとに、より具体的にはアンテナポートごとに、それぞれ参照信号が存在しなければならない。
【００６９】
参照信号は、上りリンク参照信号と下りリンク参照信号とに区別することができる。現在、ＬＴＥシステムには上りリンク参照信号として、
ｉ）ＰＵＳＣＨ及びＰＵＣＣＨを介して送信された情報のコヒーレントな復調のためのチャネル推定のための復調参照信号（ＤｅＭｏｄｕｌａｔｉｏｎ−Ｒｅｆｅｒｅｎｃｅ  Ｓｉｇｎａｌ、ＤＭＲＳ）
ii）基地局が、ネットワークが異なる周波数上の上りリンクチャネル品質を測定するための測定参照信号（Ｓｏｕｎｄｉｎｇ  Ｒｅｆｅｒｅｎｃｅ  Ｓｉｇｎａｌ、ＳＲＳ）
がある。
【００７０】
一方、下りリンク参照信号としては、
ｉ）セル内のすべての端末が共有するセル特定参照信号（Ｃｅｌｌ−ｓｐｅｃｉｆｉｃ  Ｒｅｆｅｒｅｎｃｅ  Ｓｉｇｎａｌ、ＣＲＳ）
ii）特定端末だけのための端末特定参照信号（ＵＥ−ｓｐｅｃｉｆｉｃ  Ｒｅｆｅｒｅｎｃｅ  Ｓｉｇｎａｌ）
iii）ＰＤＳＣＨが送信される場合、コヒーレントな復調のために送信されるＤＭＲＳ
iv）下りリンクＤＭＲＳが送信される場合、チャネル状態情報（ＣＳＩ）を伝達するためのチャネル状態情報参照信号（Ｃｈａｎｎｅｌ  Ｓｔａｔｅ  Ｉｎｆｏｒｍａｔｉｏｎ−Ｒｅｆｅｒｅｎｃｅ  Ｓｉｇｎａｌ、ＣＳＩ−ＲＳ）
ｖ）マルチメディアブロードキャスト単一周波数網（ＭＢＳＦＮ）モードで送信される信号に対するコヒーレントな復調のために送信されるＭＢＳＦＮ参照信号
vi）端末の地理的位置情報を推定するために用いられる位置参照信号
がある。
【００７１】
参照信号はその目的によって２種類に大別することができる。チャネル情報取得のための参照信号とデータ復調のための参照信号とがある。前者は、ＵＥが下りリンクのチャネル情報を取得できるようにすることに目的があるため、広帯域で送信しなければならず、特定サブフレームで下りリンクデータを受信しない端末であってもその参照信号を受信しなければならない。また、これはハンドオーバなどの状況でも用いられる。後者は、基地局が下りリンクデータを送信するとき、当該リソースで共に送る参照信号であり、端末は当該参照信号を受信することによってチャネル測定をし、データを復調することができる。この参照信号はデータの送信される領域で送信しなければならない。
【００７２】
ＣＲＳはチャネル情報取得及びデータ復調の２つの目的に用いられ、端末特定参照信号はデータ復調用にだけ用いられる。ＣＲＳは、広帯域に対して毎サブフレームごとに送信され、基地局の送信アンテナ個数によって最大４個のアンテナポートに対する参照信号が送信される。
【００７３】
例えば、基地局の送信アンテナ数が２個の場合、０番と１番のアンテナポートに対するＣＲＳが送信され、４個の場合、０〜３番のアンテナポートに対するＣＲＳがそれぞれ送信される。
【００７４】
図６は、既存の３ＧＰＰ ＬＴＥシステム（例えば、リリース−８）において定義するＣＲＳ及びＤＲＳが下りリンクリソースブロック対（ＲＢ  ｐａｉｒ）上にマップされるパターンを示す図である。参照信号がマップされる単位としての下りリンクリソースブロック対は時間上で１サブフレーム×周波数上で１２副搬送波の単位で表現することができる。すなわち、１リソースブロック対は、時間上で、正規ＣＰの場合（図６（ａ））は１４個のＯＦＤＭシンボル長、拡張ＣＰの場合（図６（ｂ））は１２個のＯＦＤＭシンボル長を有する。
【００７５】
図６は、基地局が４個の送信アンテナをサポートするシステムにおいて、参照信号の、リソースブロック対上における位置を示している。図６で、「０」、「１」、「２」及び「３」で表示されたリソース要素（ＲＥ）は、それぞれ、アンテナポートインデクス０、１、２及び３に対するＣＲＳの位置を示す。一方、図６で、「Ｄ」で表示されたリソース要素は、ＤＭＲＳの位置を示す。
【００７６】
リリース１１以降のＬＴＥシステムでは、多地点協調送受信（Ｃｏｏｒｄｉｎａｔｅ  Ｍｕｌｔｉ  Ｐｏｉｎｔ、ＣｏＭＰ）、多ユーザ−・多入力多出力（ＭＵ−ＭＩＭＯ）などによるＰＤＣＣＨの容量不足、及びセル間干渉によるＰＤＣＣＨの性能減少などに対する解決策として強化ＰＤＣＣＨ（ＥＰＤＣＣＨ）が考慮されている。また、ＥＰＤＣＣＨではプリコーディング利得などを得るために、既存のＣＲＳベースのＰＤＣＣＨと異なり、ＤＭＲＳに基づいてチャネル推定を行うことができる。
【００７７】
前述したＰＤＣＣＨの送信がＲＥＧ、ＲＥＧで構成されたＣＣＥに基づくのに対し、ＥＰＤＣＣＨ送信は、強化ＲＥＧ（ＥＲＥＧ）、強化ＣＣＥ（ＥＣＣＥ）、ＰＲＢ対に基づくことができる。ここで、ＥＣＣＥは４個のＥＲＥＧで構成し、一つのＰＲＢ対は４個のＥＣＣＥで構成することができる。ＰＤＣＣＨの場合と同様、ＥＰＤＣＣＨでも集合レベルの概念を用いる。ただし、ＥＰＤＣＣＨにおける集合レベルはＥＣＣＥに基づく。
【００７８】
ＥＰＤＣＣＨ送信は、ＥＰＤＣＣＨ送信に用いられるＰＲＢ対の構成によって局部型（ｌｏｃａｌｉｚｅｄ）ＥＰＤＣＣＨ送信と分散型（ｄｉｓｔｒｉｂｕｔｅｄ）ＥＰＤＣＣＨ送信とに区別することができる。局部型ＥＰＤＣＣＨ送信は、一つのＥＰＤＣＣＨ送信に用いられるリソース集合が周波数領域において隣接している場合を意味し、ビーム形成利得を得るために特定プリコーディングを適用することもできる。例えば、局部型ＥＰＤＣＣＨ送信は、集合レベルに該当する個数の連続したＥＣＣＥに基づくことができる。一方、分散型ＥＰＤＣＣＨ送信は、一つのＥＰＤＣＣＨが周波数領域において分離されたＰＲＢ対で送信されることを意味し、周波数ダイバシチ態様の利得がある。例えば、分散型ＥＰＤＣＣＨ送信は、周波数領域において分離された各ＰＲＢ対に含まれた４個のＥＲＥＧからなるＥＣＣＥに基づくことができる。
【００７９】
以下では、このようなＥＰＤＣＣＨ送信において、ブラインド復号／探索空間の設定、アンテナポートマッピングなどに関する様々な実施例を説明する。
【００８０】
ＥＰＤＣＣＨのためのブラインド復号／探索空間の設定
【００８１】
上述した通り、ＥＰＤＣＣＨ送信は、局部型ＥＰＤＣＣＨ送信と分散型ＥＰＤＣＣＨ送信とに区別することができ、本発明の実施例によれば、端末は、局部型ＥＰＤＣＣＨ送信のためのリソース集合と分散型ＥＰＤＣＣＨ送信のためのリソース集合とを区別して探索空間を構成することができる。ここで、リソース集合はＰＲＢ集合又はＥＣＣＥであってよく、基地局は、リソース集合の送信タイプ（局部型ＥＰＤＣＣＨ送信又は分散型ＥＰＤＣＣＨ送信）を上位層信号通知で知らせることができる。
【００８２】
言い換えると、端末は、サブフレームの複数のリソース単位（例えば、リソース集合がＰＲＢ集合である場合、リソース単位はＰＲＢ対又はＥＣＣＥ（ＥＲＥＧ）であり、リソース集合がＥＣＣＥである場合、リソース単位はＥＣＣＥ又はＥＲＥＧであることを意味する。）のうち、ＥＰＤＣＣＨ用のリソース単位上で集合レベル別にブラインド復号を行うことができるが、ここで、リソース集合は局部型ＥＰＤＣＣＨ送信又は分散型ＥＰＤＣＣＨ送信のいずれか一つのために設定されたものであってもよい。
【００８３】
上記の内容を、図７及び図８の例示を挙げて説明する。図７及び図８では、上の説明においてリソース集合がＰＲＢ集合、リソース単位はＥＣＣＥ又はＰＲＢ対であることを前提とする。図７及び図８で、ＰＲＢ集合に含まれたＰＲＢ対として２個又は４個が例示されているが、必ずしもこれに限定されるものではなく、設定によって、２、４又は８個などのように様々に設定してもよい。また、図７及び図８で、分散型ＰＲＢ集合（ｄｉｓｔｒｉｂｕｔｅｄ  ＰＲＢ  ｓｅｔ）に含まれたＰＲＢ対が周波数軸上で連続しているとしたが、これは図式化の便宜のためのものであり、よって、分散型ＰＲＢ集合に含まれたＰＲＢ対は周波数軸上で不連続しているものと理解してもよい。
【００８４】
図７（ａ）は、端末に１つのＰＲＢ集合が設定された場合を、図７（ｂ）は端末に２つのＰＲＢ集合が設定された場合を示す。図７（ａ）を参照すると、端末は、上位層信号通知を通じて、ＥＰＤＣＣＨのためのＰＲＢ集合が１個であり、サブフレームの全体ＰＲＢ対のうち、図示のように４個のＰＲＢ対がＥＰＤＣＣＨ送信のためのものであることが把握できる。また、端末は、このＰＲＢ集合が局部型ＥＰＤＣＣＨ送信のためのものか、それとも分散型ＥＰＤＣＣＨ送信のためのものかが把握でき、各送信タイプ（局部型ＥＰＤＣＣＨ送信又は分散型ＥＰＤＣＣＨ送信）によって集合レベルに基づくＥＰＤＣＣＨ候補を決定し、復号を行うことができる。
【００８５】
図７（ｂ）では、端末に２つのＰＲＢ集合が設定され、一つのＰＲＢ集合は局部型ＥＰＤＣＣＨのためのＰＲＢ集合（Ｌｏｃａｌｉｚｅｄ  ＰＲＢ  ｓｅｔ）、他のＰＲＢ集合は分散型ＥＰＤＤＣＨのためのＰＲＢ集合（Ｄｉｓｔｒｉｂｕｔｅｄ  ＰＲＢ  ｓｅｔ）であることを上位層信号通知によって知らせることができる。端末は各ＰＲＢ集合に対して、各送信タイプに応じてＥＰＤＣＣＨ候補を決定し、復号を行うことができる。ここで、図７（ｂ）の例示とは違い、２つのＰＲＢ集合が設定される場合、両ＰＲＢ集合とも局部型（又は分散型）ＥＰＤＣＣＨのためのものであってもよい。
【００８６】
上記の説明において、２つのＰＲＢ集合（分散型ＥＰＤＤＣＨのためのＰＲＢ集合及び局部型ＥＰＤＤＣＨのためのＰＲＢ集合）が設定される場合、各ＰＲＢ集合に含まれるＰＲＢは必ずしも排他的でない。言い換えると、いずれか一つのＰＲＢ集合に含まれるＰＲＢ対が他のＰＲＢ対にも属することができる。このような場合を図８に示す。図８を参照すると、局部型ＥＰＤＤＣＨ送信のためのＰＲＢ集合がＰＲＢ対＃ｎ〜ＰＲＢ対＃ｎ＋３で構成され、分散型ＥＰＤＤＣＨ送信のためのＰＲＢ集合がＰＲＢ対＃ｎ−１〜ＰＲＢ対＃ｎで構成されている。すなわち、ＰＲＢ対＃ｎは、局部型ＥＰＤＤＣＨ送信のためのＰＲＢ集合にも分散型ＥＰＤＣＣＨ送信のためのＰＲＢ集合にも含まれている。このように、各ＰＲＢ集合に重複するＰＲＢ対が存在する場合、端末は重複ＰＲＢ対では、局部型ＥＰＤＣＣＨ送信に関係するアンテナポートのうち、分散型ＥＰＤＣＣＨ送信に関係するアンテナポート以外のアンテナポートだけが有効であると見なすことができる。例えば、分散型ＥＰＤＣＣＨに関係するアンテナポートは１０７、１０９であり、局部型ＥＰＤＣＣＨに関係するアンテナポートは１０７、１０８、１０９、１１０である場合、端末は重複ＰＲＢ対で局部型ＥＰＤＣＣＨに対してブラインド復号を行うとき、アンテナポート１０８、１１０だけを使用することができる。又は、局部型ＥＰＤＣＣＨに対してブラインド復号を行うとき、ポート１０８、１０９だけを用いてブラインド復号を行うこともできる。例えば、当該ＰＲＢ対のＥＣＣＥインデクス０、１、２、３に用いられるポートは１０８（又は１０９）に固定し、ＥＣＣＥインデクス０、１は１０８、ＥＣＣＥインデクス２、３は１０９などを使用するようにあらかじめ定義したり、上位層信号通知を通じて知らせたりしてもよい。
【００８７】
一方、上述した説明で、リソース集合がどの送信タイプであるかを決定する他の方法として、可能なパターンをあらかじめ定義し、基地局はそのパターンのインデクスを信号通知することもできる。このとき、パターンは一定個数のリソース単位に対して定義され、当該パターンが全体リソース単位に対して反復されると仮定することができる。例えば、次の表３のようなマッピングテーブルを用いることができる。
【表３】
2015516729.tif 000006
【００８８】
上記の表３において、Ｌは局部型ＥＰＤＣＣＨ送信、Ｄは分散型ＥＰＤＣＣＨ送信を意味する。上位層信号通知によって設定された探索空間のリソース単位インデクスが２、３、４、５、６、７であるとき、端末は、これらの信号通知されたインデクスの中で特定タイプのリソース単位を探索空間から排除することができ、この特定タイプは上位層信号通知によって決定することができる。すなわち、分散型ＥＰＤＣＣＨ送信用のリソース単位を排除しようとする場合は、端末が構成する探索空間のリソース単位インデクスを２、３、６、７に決定してもよい。
【００８９】
以下では、図９に示すように、一つのＥＰＤＣＣＨ候補内に局部型ＥＰＤＣＣＨ送信のためのＥＣＣＥと分散型ＥＰＤＣＣＨ送信のためのＥＣＣＥとが混在する場合の、アンテナポートマッピング及び復号方法について説明する。図９を参照すると、集合レベル２のＥＰＤＣＣＨ候補を構成するＥＣＣＥが、局部型ＥＰＤＣＣＨ送信のためのＥＣＣＥ及び分散型ＥＰＤＣＣＨ送信のためのＥＣＣＥで構成されていることがわかる。この場合、端末は、以下に列挙される方法によってブラインド復号／探索空間構成を用いることができる。
【００９０】
第一に、端末は、同一のＥＰＤＣＣＨ候補内に属するが、各ＥＣＣＥに対するポートは互いに異なると仮定することができる。すなわち、分散型ＥＰＤＣＣＨ送信のためのＥＣＣＥは、分散型ＥＰＤＣＣＨ送信のために定義されたポートとＰＲＢ対（又はＥＣＣＥ）とを用いて復号を行った後、局部型ＥＰＤＣＣＨ送信のためのＥＣＣＥ（分散型ＥＰＤＣＣＨ送信のためのポートと異なるポートを通じて送信される）に対する復号結果を結合する方式でブラインド復号を行うことができる。言い換えると、図９において、局部型ＥＰＤＣＣＨに対する集合レベル２のＥＰＤＣＣＨ候補は、局部型ＥＰＤＣＣＨ送信のためのＥＣＣＥと分散型ＥＰＤＣＣＨ送信のためのＥＣＣＥとで構成され、各ＥＣＣＥに対する復号結果を結合する方法で復号される。すなわち、一つのＥＣＣＥは局部型ＥＰＤＣＣＨ送信のためのＥＣＣＥに対するポートであり、他のＥＣＣＥは分散型ＥＰＤＣＣＨ送信のためのＥＣＣＥに対するポートで復号を行う。これは、各ＥＣＣＥに対して異なるプリコーディングが行われたことを意味する。
【００９１】
第二に、当該ＥＰＤＣＣＨ候補に対するブラインド復号をスキップ（ｓｋｉｐ）することもできる。すなわち、一つのＥＰＤＣＣＨ候補に含まれるＥＣＣＥのうち、局部型ＥＰＤＣＣＨ送信に用いられるＥＣＣＥ及び分散型ＥＰＤＣＣＨ送信に用いられるＥＣＣＥが重複する場合、これを認知した端末は、当該ＥＰＤＣＣＨ候補に対するブラインド復号を行わなくてもよい。
【００９２】
第三に、当該ＥＰＤＣＣＨ候補に属するＥＣＣＥのうち、特定送信タイプによるＥＣＣＥだけを当該ＥＰＤＣＣＨ候補に対するブラインド復号に用いることもできる。ここで、送信タイプ（局部型又は分散型）のうちいずれを用いるかは、優先順位又はＥＣＣＥの個数によって決定することができる。優先順位に従う場合、どの送信タイプのＥＣＣＥを復号するかは、あらかじめ設定したり、又は上位層信号通知などを通じて知らせたりすることができる。ＥＣＣＥ個数に従う場合は、集合レベルが４以上のとき、特定送信タイプによるＥＣＣＥが他の送信タイプによるＥＣＣＥよりも多いと、その特定送信タイプによるＥＣＣＥだけを当該ＥＰＤＣＣＨ候補の復号に用いることができる。ここで、ブラインド復号が特定送信タイプによるＥＣＣＥだけによって行われるようにする他の方法として、端末のための探索空間の構成に当たり、互いに異なる送信タイプのＥＣＣＥが一つの探索空間に含まれないようにすることができる。すなわち、端末に局部型（又は分散型）ＥＰＤＣＣＨ送信だけのための探索空間を信号通知することができる。又は、高いレベルの集合レベルに対するＥＰＤＣＣＨ候補が低い集合レベルに基づいて決定される場合、集合レベル１のＥＰＤＣＣＨ候補を特定送信タイプによるＥＣＣＥだけからなるようにすることもできる。
【００９３】
次に、図１０を参照して、一つのＰＲＢ対に局部型ＥＰＤＣＣＨ送信のためのリソース集合と分散型ＥＰＤＣＣＨ送信のためのリソース集合とが混在する場合の、ＥＰＤＣＣＨ候補設定方法及び復号方法について説明する。図１０では、一つのＰＲＢ対が８個のＥＲＥＧで構成されたものを前提としているが、これは説明の便宜のためのもので、上述した通り、一つのＰＲＢ対が１６個のＥＲＥＧで構成された場合に適用してもよい。
【００９４】
局部型ＥＰＤＣＣＨ送信のための集合レベルのＥＰＤＣＣＨ候補に分散型ＥＰＤＣＣＨ送信のためのＥＲＥＧが含まれる場合、このようなＥＰＤＣＣＨ候補はブラインド復号から除外することができる。例えば、図１０で、ＥＲＥＧ４〜ＥＲＥＧ７が集合レベル２のＥＰＤＣＣＨ候補を構成し、ＥＲＥＧ６とＥＲＥＧ７が分散型ＥＰＤＣＣＨ送信のためのものである場合、ＥＲＥＧ４〜ＥＲＥＧ７で構成されたＥＰＤＣＣＨ候補はブラインド復号の対象から除外される。
【００９５】
又は、局部型ＥＰＤＣＣＨ送信のための集合レベルのＥＰＤＣＣＨ候補に分散型ＥＰＤＣＣＨ送信のためのＥＲＥＧが含まれる場合、このようなＥＰＤＣＣＨ候補に対するブラインド復号は、局部型ＥＰＤＣＣＨ用途に設定されたＥＲＥＧ（又は、ＥＣＣＥ）だけを用いて行うこともできる。すなわち、図１０で、ＥＲＥＧ４及びＥＲＥＧ５だけを用いてブラインド復号を行うことができる。これは、ＥＲＥＧ６及びＥＲＥＧ７に対して速度整合（ｒａｔｅ  ｍａｔｃｈｉｎｇ）を行うことと理解してもよい。そのために、別個の集合レベルのＥＰＤＣＣＨ候補の開始位置は、互いに異なるように設定することができる。
【００９６】
又は、局部型ＥＰＤＣＣＨ送信のための集合レベルのＥＰＤＣＣＨ候補に分散型ＥＰＤＣＣＨ送信のためのＥＲＥＧが含まれる場合、このようなＥＰＤＣＣＨ候補の開始位置は、局部型ＥＰＤＣＣＨのためのＥＲＥＧが一つのＰＲＢ対にすべて含まれるまで、ＥＰＤＣＣＨ候補の開始位置に対してオフセットを適用することもできる。すなわち、図１０で、ＰＲＢ対０は局部型、ＰＲＢ対１は局部型及び分散型、ＰＲＢ対３は局部型ＥＰＤＣＣＨ送信のためのものであり、ＥＲＥＧ６及びＥＲＥＧ７が分散型ＥＰＤＣＣＨ送信のためのものである場合、ＰＲＢ対１に位置するＥＰＤＣＣＨ候補はＰＲＢ対２にシフトしてもよい。
【００９７】
又は、局部型ＥＰＤＣＣＨに対するＥＰＤＣＣＨ候補であるが、このＥＰＤＣＣＨ候補内に分散型ＥＰＤＣＣＨ用途のリソース集合（ＥＣＣＥ、ＥＲＥＧセット）を含んでいる場合、該当リソース集合を除いて連続したリソース集合インデクスを用いてＥＰＤＣＣＨ候補を構成することもできる。すなわち、図１０で、ＰＲＢ対全体が集合レベル４の局部型ＥＰＤＣＣＨ候補であり、ＥＲＥＧ４、５、６、７が分散型ＥＰＤＣＣＨ用途に設定された場合、当該ＥＰＤＣＣＨ候補に含まれるリソース集合をＥＲＥＧ０、１、２、３、８、９、１０、１１に決定することができる。
【００９８】
ＥＰＤＣＣＨのためのアンテナポートの設定／マッピング
【００９９】
以下では、ＥＰＤＣＣＨリソース集合（ＰＲＢ集合、ＥＣＣＥセット、ＥＲＥＧセットなど）におけるアンテナポートのマッピング／設定などに関する実施例を説明する。
【０１００】
図１１は、ＥＰＤＣＣＨリソース集合及びアンテナポートのマッピングを例示する図である。図１１を参照すると、図１１（ａ）、（ｂ）、（ｃ）は、それぞれ、集合レベル１、２、４の場合、アンテナポートが１ＥＣＣＥ、２ＥＣＣＥ、４ＥＣＣＥ単位に割り当てられており、これは集合レベルによってアンテナポートがマップされたものである。すなわち、スケジュール柔軟性（ｓｃｈｅｄｕｌｉｎｇ  ｆｌｅｘｉｂｉｌｉｔｙ）、復号時間の低減などのために、一つのＥＰＤＣＣＨは一つのアンテナポートを使用することができる。ここで、ＥＣＣＥとポートとの対応関係は、あらかじめ設定された値（特定リソースがポートを決定する。すなわち、ある特定位置のリソースは特定ポートを通じて送信される。）が用いられてもよく、上位層信号通知を通じて端末特定に伝達してもよい。
【０１０１】
図１２及び図１３は、一つのＰＲＢ対に局部型ＥＰＤＣＣＨ送信と分散型ＥＰＤＣＣＨ送信が混在する場合、ポート割当に関するものである。
【０１０２】
図１２は、分散型ＥＰＤＣＣＨ送信のためのポートを除いた残りのポートが局部型ＥＰＤＣＣＨ送信のためのＥＣＣＥに順次に割り当てられる方式に関する。すなわち、図１２を参照すると、各ＥＣＣＥに対するポートをＰＲＢ対内で７、８、９、１０の順に暗黙又は明示的にマップすることができる。図１２（ａ）は暗黙割当を例示し、ＰＲＢ対内の特定ＥＣＣＥに割り当てられるポートは、ＥＣＣＥを構成するリソースの位置によって決定することができる。暗黙割当ではＥＣＣＥの位置によってポートを決定するため、一つのＰＲＢ対内に不連続にポートを割り当てることができる。すなわち、図１２（ａ）に示すように、分散型ＥＰＤＣＣＨ送信のためのＥＣＣＥがＰＲＢ対内に２個又は３個存在する場合、ポート割当をそれぞれ｛７，９，１０｝、｛７，１０｝とすることができる。図１２（ｂ）には、分散型ＥＰＤＣＣＨ送信のためのポートを１０であると仮定したときの、暗黙割当の他の例示を示している。要するに、図１２（ａ）及び（ｂ）では、分散型ＥＰＤＣＣＨ送信のためのＥＣＣＥの位置、ポートによって、局部型ＥＰＤＣＣＨ送信のためのＥＣＣＥのポート割当が変化することがある。
【０１０３】
図１２（ｃ）には明示的割当を示している。明示的割当は、端末がＥＰＤＣＣＨ復号に使用するポートが上位層信号通知などを通じて信号通知される方式を意味する。図１２（ｃ）を参照すると、端末は、上位層信号通知から、各ＥＣＣＥのポートが｛７，８，９，１０｝の順にマップされるということを把握し、分散型ＥＰＤＣＣＨ送信のためのＥＣＣＥのポートを除いた残りのポートを、局部型ＥＰＤＣＣＨ送信のためのＥＣＣＥに、信号通知された順に割り振ることができる。
【０１０４】
図１３は、上述した暗黙割当及び明示的割当の更に他の例示であり、特に、暗黙割当が用いられる場合、分散型ＥＰＤＣＣＨ送信に用いられるポートは、当該ＥＣＣＥの位置に該当するポートを使用する場合を示す。一つのＰＲＢ対内に、分散型ＥＰＤＣＣＨ送信に用いられるＥＣＣＥが複数ある場合、分散型ＥＰＤＣＣＨ送信に用いられるポートを当該ＥＣＣＥに割り当てられたポートのいずれか一つにすることができる。
【０１０５】
一方、上述したように端末が暗黙又は明示的にリソース集合（ＥＣＣＥ、ＥＰＤＣＣＨ候補、ＰＲＢ対）のポートマッピングを決定すると仮定したとき、端末が使用しているマッピング（すなわち、端末の現在ブラインド復号に該当する送信方式）と、使用しない送信タイプ（すなわち、端末が当該リソースでの送信方式を知っているが、現在端末がブラインド復号を行っている送信方式でない場合）のマッピングとが衝突する場合があり得る。例えば、図１４を参照すると、現在端末が使用している送信モードでＰＲＢ対内のＣＣＥに対してポート７、８、９、１０の順に暗黙／明示的にポートが割り当てられ、端末が使用しない分散型送信タイプで用いられるポートが７である場合、端末は分散型送信タイプで用いられるポート７を使用できなくなる。このような衝突を解決するために次の方法を用いることができる。
【０１０６】
第一に、端末が使用しない送信タイプに対するアンテナポートを除いた残りのポートを、端末が使用できるリソースに順次に割り当てることができる。すなわち、図１４（ａ）のように、端末は、ＰＲＢ対内のＥＣＣＥのうち、中間の２つのリソース集合を使用できないとともに、ポート７を使用することができない。したがって、残りのリソース集合に残りのポート（８，９，１０）を順次に割り当てることができる。ここで、順次に割り当てるということは、一つのＰＲＢ対内のＥＰＤＣＣＨのためのＥＣＣＥのインデクス順にマップすることを意味する。
【０１０７】
第二に、当該端末が、異なる送信タイプからの干渉を減らすために、端末が利用可能なポートのうち、異なった送信タイプが用いられているポートが属していない符号分割多重化（ＣＤＭ）グループのポートをまず割り当てることができる。これは、端末が使用しない送信タイプのポートが属しているＣＤＭグループのポートは、ポート再割当において低い優先度を有するということを意味する。すなわち、図１４で、分散型ＥＰＤＣＣＨ送信に用いられるポートは７であるため、ポート７と異なるＣＤＭグループに属しているポート９、１０をまず割り当てることができる。又は、異なったＣＤＭグループのポートをまず割り当てた後、分散型タイプで用いられるポートが含まれたＣＤＭグループの残りのポートを割り当てることもできる。例えば、分散型タイプに用いられるポートが８であり、ＥＣＣＥインデクスが＃１である場合、ＥＣＣＥインデクス＃０、＃２、＃３にはアンテナポート７、９、１０又は９、１０、７を割り当てることができる。
【０１０８】
端末は、これら２つの方法によって決定されたポートマッピングに基づいて探索空間を構成でき、このとき、端末が使用しない送信タイプに関連するポート／リソースは探索空間から除くことができる。また、端末が使用しない送信タイプに対するＤＭＲＳ設定は、あらかじめ設定されたマッピング規則を用いてもよく、上位層信号通知などを通じて端末に表示してもよい。また、上述の説明ではリソース及びポートのいずれに関しても制限があるが、ポートに限って適用してもよい。すなわち、図１４で、端末は、当該ＰＲＢ対内のすべてのリソース集合にポートを再割当することができ、この時に用いられるポートを、端末が使用しない送信タイプのポート以外のポートと決定することができる。
【０１０９】
ＰＲＢ対におけるポート数の決定
【０１１０】
以下では、ＥＰＤＣＣＨのための各ＰＲＢ対で用いるアンテナポートの数を設定する方法について説明する。周波数領域及び／又は空間領域におけるリソース選択性（ｒｅｓｏｕｒｃｅ  ｓｅｌｅｃｔｉｖｉｔｙ）を極力保証するために、ＥＰＤＣＣＨ送信が行われるＰＲＢ対の数及び集合レベル１のＥＰＤＣＣＨ候補（又は、ブラインド復号数）によって、各ＰＲＢ対におけるポート数が決定されるように設定することができる。さらに、空間ダイバシチ効果を高めるために、一つのＰＲＢ対内に２個以上の同一レベルのＥＰＤＣＣＨ候補が存在する場合（例えば、局部型ＥＰＤＣＣＨ送信で集合レベル１、２）、各ＥＰＤＣＣＨ候補に対して異なったポートを用いてブラインド復号を行うように設定することができる。このとき、ＰＲＢ対で用いられるアンテナポート番号（すなわち、どのアンテナポートが当該ＰＲＢ対で用いられるか）は、ＭＵ−ＭＩＭＯ、ＤＰＳなどの送信スキームによってネットワークが端末特定に決定することができる。
【０１１１】
具体的な例示において、端末別ＥＰＤＣＣＨ送信に用いられる各ＰＲＢ対のポート数（すなわち、各ＰＲＢ対別ＥＰＤＣＣＨ候補数）は、次の式２中のＮ＋Ｍで表現することができる。
【数２】
2015516729.tif 000007
【０１１２】
上記の式２において、Ｎは当該端末にＥＰＤＣＣＨ送信用途に設定された全ＰＲＢ対において共通に持つアンテナポートの数、ｉは集合レベル１のためのＥＰＤＣＣＨ候補数（又は、ブラインド復号回数）、ｊは上位層信号通知で設定されるＰＲＢ対の数、ＰはＥＰＤＣＣＨ送信用に設定されたＰＲＢ対セットを意味する。設定された各ＰＲＢ対におけるＭ値は０又は１に決定することができ、設定されたすべてのＰＲＢ対でＭの総和は、集合レベル１のＥＰＤＣＣＨ候補を設定されたＰＲＢ対の数で割った剰余と同一である。ただし、上記の式２で分母が分子よりも大きい場合、すべてのＰＲＢ対に対して当該端末は一つのアンテナポートだけを使用すると仮定することができる。また、各ＰＲＢ対のＭ値は、定められた規則（例えば、最低のＰＲＢ対インデクスからＭ値を１に設定）によって決定することができる。
【０１１３】
図１５は、上記の式２によって各ＰＲＢ対別アンテナポート数を決定した例示を示す。図１５において、各ＰＲＢ対のＭ値は、最低のＰＲＢ対インデクスから順に割り当てる方式を用い、集合レベル１のＥＰＤＣＣＨ候補の数であるｉは６であり、端末に設定されたＥＰＤＣＣＨのためのＰＲＢ対の数であるｊは６、５、４、３、２であることを前提としている。
【０１１４】
さらに、各ＰＲＢ対でＭ値を決定する方式は、上の例示のような、最低のＰＲＢ対インデクスからＭ値を１に設定する方式の他にも、与えられたＰＲＢ対で等間隔を保ちつつ分配する方式、又は特定ＰＲＢ対から埋めていく方式などが可能である。等間隔分配方式の場合、図１５でＥＰＤＣＣＨのためのＰＲＢ対の数が４である場合に対して各ＰＲＢ対のポート数は２、１、２、１などの順に決定することができる（このとき、Ｎ値は１、１、１、１であり、Ｍ値は１、０、１、０と決定されることを意味する。）
【０１１５】
チャネル推定を考慮した探索空間の設定
【０１１６】
ＥＰＤＣＣＨの送信されるＰＲＢ対ではＰＤＳＣＨが送信されないうえに、ＥＰＤＣＣＨ送信のために必要なリソースに比べてＰＲＢ対で利用可能なリソースが多いため、複数のＥＰＤＣＣＨが一つのＰＲＢ対で送信されることが好ましい。このような場合、端末の探索空間割当はＥＰＤＣＣＨ復調性能に大きな影響を及ぼすことがある。例えば、図１６に示すように各ＥＰＤＣＣＨ候補の位置が決定される場合、チャネル状況によってＥＰＤＣＣＨ復号性能が大きく変動することがある。さらにいうと、図１６では各集合レベル別ＥＰＤＣＣＨ候補が周波数軸上で連続して位置するが、このような場合、一つの端末のためのＥＰＤＣＣＨ候補が集中している特定周波数帯域が深いフェージングなどの状況に陥ると、その端末のＥＰＤＣＣＨ復調性能は著しく低下することがある。
【０１１７】
ＥＰＤＣＣＨ探索空間の割当のための他の考慮事項は、１サブフレーム内で一つの端末に２個のＥＰＤＣＣＨが送信されることがあることである。すなわち、下りリンク承認（ＤＬ  ｇｒａｎｔ）及び上りリンク承認（ＵＬ  ｇｒａｎｔ）に対するＥＰＤＣＣＨがそれぞれ送信されることがあり、これらのＥＰＤＣＣＨはビーム形成利得のために同一のＰＲＢ対で送信されることが好ましい。
【０１１８】
したがって、上述した事項を考慮して、本発明の実施例では次のような規則に従って探索空間を設定する。
【０１１９】
第一に、一つの端末のための探索空間を構成する各ＰＲＢ対は周波数領域で分離して割り当てられる。
【０１２０】
第二に、集合レベル１に該当するＥＰＤＣＣＨ候補位置は、各ＰＲＢ対当たり２個のＥＣＣＥに制限される。ここで、どのＥＣＣＥが当該端末のＥＰＤＣＣＨ候補位置に用いられるかはＲＲＣ信号通知などを通じて各端末に知らせることができる。また、信号通知オーバヘッドを減らすために、探索空間を、ＲＲＣ信号通知などを用いて知らせるとき、ＰＲＢ対単位に信号通知し、当該ＰＲＢ対内ではあらかじめ定められた規則に従ってＥＰＤＣＣＨ候補位置を構成することができる。
【０１２１】
上述した規則に従う探索空間の設定例が図１７に示されている。図１７で、各ＰＲＢ対のＥＣＣＥ対ポートマッピングは、｛７，８，９，１０｝の組合せを使用すると仮定し、集合レベル１、２、４のブラインド復号数はそれぞれ８、８、２と仮定した。ただし、このような仮定は説明の便宜のためのもので、集合レベル、ブラインド復号数にかかわらず、上の規則に従う限り様々な例示が可能であろう。また、図１７で各集合レベル別ＥＰＤＣＣＨ候補位置の数字は、当該ＥＰＤＣＣＨ復調のためのアンテナポートを示す。
【０１２２】
図１７の例示を参照すると、各ＰＲＢ対においてすべての集合レベルに対してＥＰＤＣＣＨチャネル推定回数は２回で完了する。したがって、上述した規則に従えば、チャネル推定回数を最小化する探索空間の設定が可能になる。
【０１２３】
図１７の例示は次のように具現することもできる。各ＥＰＤＣＣＨ候補別ポートはリソース（例えば、ＥＣＣＥ）対ポートマッピングに対する信号通知と探索空間定義に対する信号通知との組合せで具現することができる。このとき、リソース対ポートマッピングは、すべてのＰＲＢ対（例えば、ＥＰＤＣＣＨが送信されるＰＲＢ対）で同一のポートマッピング（例えば、各ＰＲＢ対に４個のＥＣＣＥが存在し、各ＰＲＢ対内におけるＥＣＣＥは０、１、２、３にインデクス付けするとき、ＥＣＣＥ０はポート７、ＥＣＣＥ１はポート８、ＥＣＣＥ２はポート９、ＥＣＣＥ３はポート１０）のためのパターンを信号通知したり、又はＰＲＢ対ごとに異なるパターンのポートマッピングを信号通知したりすることもできる。ここで、探索空間定義とは、端末がブラインド復号を行うべきＥＰＤＣＣＨ候補が基地局によって指示される過程を意味し、ＥＰＤＣＣＨ送信用に設定された各ＰＲＢ対当たり集合レベル１のＥＰＤＣＣＨ候補は２個に制限するという上述の規則を適用して各集合レベル別ＥＰＤＣＣＨ候補を端末に知らせることができる。この過程で独立して信号通知されたポートマッピングと連携して各ＥＰＤＣＣＨ候補別ポートを定義することができる。ただし、集合レベル２以上のＥＰＤＣＣＨ候補では当該ＥＰＤＣＣＨ候補を構成する集合レベル１のＥＰＤＣＣＨ候補（又は、集合レベル１のＥＰＤＣＣＨ候補が含まれない場合にあってはＥＣＣＥ）のポートのうち一つを選択する方法を用いることができる。
【０１２４】
ＥＰＤＣＣＨと復調参照信号ポートとの関係
【０１２５】
以下、端末がＥＰＤＣＣＨを検出するときに用いるＤＭＲＳポートを決定する方法（ＥＣＣＥ対ポートマッピング）について説明する。具体的に、ＥＰＤＣＣＨ復調のために、ＥＰＤＣＣＨが送信されるリソース集合（例えば、ＥＣＣＥなど）とＤＭＲＳポートとの間のマップ方法及びこれを信号通知する方法について説明する。以下の説明は、図１８に例示する通り、一つのＰＲＢ対に４個のＥＣＣＥを前提とする。
【０１２６】
第一に、ポート組合せテーブルを構成した後、そのインデクスを信号通知することによって、すべてのＰＲＢ対で当該インデクスに対応するポート組合せを用いるようにする方法がある。すなわち、各ＥＣＣＥにアンテナポートをマップするために４個のＲＳポートに対するすべての組合せを列挙し、ネットワークは特定端末又はセル特定のＲＳポート組合せのインデクスを、上位層信号通知などを通じて知らせることができる。この場合、ＭＵ−ＭＩＭＯベースのＥＰＤＣＣＨを具現することもできるし、セル間ＲＳ衝突を避けることもできるという効果がある。各組合せに対するインデクス付けは次の表４の通りである。
【表４】
2015516729.tif 000008
【０１２７】
第二に、第一の方法に基づくがＰＲＢ対ごとにインデクスを信号通知する方法がある。このような信号通知のためには５ビットが必要であり、信号通知オーバヘッドを減らすために一部の組合せを除去することもできる。例えば、組合せを構成するとき、連続するＥＣＣＥに対するアンテナポートは互いに異なるＣＤＭグループに属するようにすることもできる。すなわち、｛７，９，８，１０｝、｛９，７，１０，８｝のような組合せだけを考慮することもできる。このような組合せを用いると、隣接セルが同一の時間／周波数リソースをＥＰＤＣＣＨ送信に用いるとき、同一の時間／周波数リソースを用いるＥＣＣＥ間のＲＳ衝突を避けることができる。
【０１２８】
これらの組合せは、一つのＰＲＢ対を構成するＥＣＣＥがそれぞれ異なるポートを用いるようになっているが、連続するＥＣＣＥが同一のポートを用いる場合が含まれてもよい。すなわち、上記の表４に｛７，７，９，９｝、｛８，８，１０，１０｝、｛７，７，８，８｝、｛９，９，１０，１０｝、｛７，７，７，７｝、｛８，８，８，８｝などのようなパターンが追加してもよい。これらのパターンは｛ａ，ａ，ｂ，ｂ｝、｛ａ，ｂ，ｂ，ｂ｝、｛ａ，ａ，ａ，ｂ｝、｛ａ，ｂ，ｂ，ａ｝、｛ａ，ａ，ａ，ａ｝のような形態として具現することができる。このように、一つのＰＲＢ対内で同一のポートが存在する場合は、同一のポートを持つＥＣＣＥがそれぞれ異なる送信ポイントで用いられる場合に有用であり得る。このような動作をサポートするために仮想セルＩＤ（ｖｉｒｔｕａｌ  ｃｅｌｌ  ＩＤ）をグループ化し、各グループに上のパターンのいずれか一つが用いられるようにすることができる。
【０１２９】
第三に、仮想セルＩＤのモジュロ演算結果を上述のインデクスと結合させる方法がある。言い換えると、ＥＰＤＣＣＨ ＲＳのために信号通知する他のパラメータに上記のインデクスを結び付ける（ｔｉｅ）。
【０１３０】
さらにいうと、ＤＭＲＳのためのスクランブルシーケンスは次の式３によって導出することができる。
【数３】
2015516729.tif 000009
【０１３１】
上記の式３で、Ｘ、ｎSCIDなどがＤＣＩフォーマットなどに含まれて信号通知され得るが、ＥＰＤＣＣＨ ＤＭＲＳでも上記の式３を用いることができる。ただし、ＥＰＤＣＣＨではＤＣＩフォーマットを用いることができないため、ｎSCIDは特定値に固定し、Ｘパラメータを、ＲＲＣ信号通知などを通じて知らせることができる。したがって、ＤＭＲＳスクランブルシーケンスのために信号通知されるパラメータＸに対してモジュロ演算などを行って、ＥＣＣＥ対ポートマッピングテーブルのインデクスを導出することができる。具体例として、ＥＣＣＥ対ポートマッピングテーブルが上記の表４である場合、端末はＤＭＲＳスクランブルシーケンスインデクスを（Ｘ ｍｏｄｕｌｏ ２４）によって決定することができる。
【０１３２】
図１９は、本発明の実施形態による送信ポイント装置及び端末装置の構成を示す図である。
【０１３３】
図１９を参照すると、本発明による送信ポイント装置１９１０は、受信モジュール１９１１、送信モジュール１９１２、プロセッサ１９１３、メモリ１９１４及び複数のアンテナ１９１５を備えることができる。複数のアンテナ１９１５は、ＭＩＭＯ送受信をサポートする送信ポイント装置を意味する。受信モジュール１９１１は、端末からの上りリンク上の各種信号、データ及び情報を受信することができる。送信モジュール１９１２は、端末への下りリンク上の各種信号、データ及び情報を送信することができる。プロセッサ１９１３は、送信ポイント装置１９１０全般の動作を制御することができる。
【０１３４】
本発明の一実施例による送信ポイント装置１９１０におけるプロセッサ１９１３は、前述した各実施例で必要な事項を処理することができる。
【０１３５】
送信ポイント装置１９１０のプロセッサ１９１３は、その他にも、送信ポイント装置１９１０が受信した情報、外部に送信する情報などを演算処理する機能を担い、メモリ１９１４は、演算処理された情報などを所定時間記憶することができ、バッファ（図示せず）などの構成要素に置き換えられてもよい。
【０１３６】
続いて、図１９を参照すると、本発明による端末装置１９２０は、受信モジュール１９２１、送信モジュール１９２２、プロセッサ１９２３、メモリ１９２４及び複数のアンテナ１９２５を備えることができる。複数のアンテナ１９２５は、ＭＩＭＯ送受信をサポートする端末装置を意味する。受信モジュール１９２１は、基地局からの下りリンク上の各種信号、データ及び情報を受信することができる。送信モジュール１９２２は、基地局への上りリンク上の各種信号、データ及び情報を送信することができる。プロセッサ１９２３は、端末装置１９２０全般の動作を制御することができる。
【０１３７】
本発明の一実施例による端末装置１９２０におけるプロセッサ１９２３は、前述した各実施例で必要な事項を処理することができる。
【０１３８】
端末装置１９２０のプロセッサ１９２３は、その他にも、端末装置１９２０が受信した情報、外部に送信する情報などを演算処理する機能を担い、メモリ１９２４は、演算処理された情報などを所定時間記憶することができ、バッファ（図示せず）などの構成要素に置き換えられてもよい。
【０１３９】
上記のような送信ポイント装置及び端末装置の具体的な構成は、前述した本発明の様々な実施例で説明した事項を独立して適用したり、又は２つ以上の実施例を同時に適用したりしてもよく、重複する内容は明確性のために説明を省略する。
【０１４０】
また、図１９の説明において、送信ポイント装置１９１０についての説明は、下りリンク送信主体又は上りリンク受信主体としての中継器装置にも同様に適用することができ、端末装置１９２０についての説明は、下りリンク受信主体又は上りリンク送信主体としての中継器装置にも同様に適用することができる。
【０１４１】
以上の本発明の実施例は、様々な手段、例えば、ハードウェア、ファームウェア、ソフトウェア又はそれらの結合などによって実現することができる。
【０１４２】
ハードウェアによる実現の場合、本発明の実施例による方法は、一つ又はそれ以上の特定用途集積回路（ＡＳＩＣ）、デジタル信号プロセッサ（ＤＳＰ）、デジタル信号処理デバイス（ＤＳＰＤ）、プログラム可能論理デバイス（ＰＬＤ）、フィールドプログラム可能ゲートアレイ（ＦＰＧＡ）、プロセッサ、コントローラ、マイクロコントローラ、マイクロプロセッサなどによって実現することができる。
【０１４３】
ファームウェア又はソフトウェアによる実現の場合、本発明の実施例による方法は、以上で説明した機能又は動作を行うモジュール、手順、関数などの形態にすることができる。ソフトウェアコードはメモリユニットに記憶され、プロセッサによって駆動することができる。メモリユニットは、プロセッサの内部又は外部に設けられ、既に公知の様々な手段によってプロセッサとデータを授受することができる。
【０１４４】
以上開示された本発明の好ましい実施例についての詳細な説明は、当業者が本発明を具現して実施できるように提供された。以上では本発明の好適な実施例を参照して説明したが、当該技術の分野における熟練した当業者に理解されるように、本発明の領域から逸脱しない範囲内で本発明を様々に修正及び変更することもできる。例えば、当業者は、上記の実施例に記載された各構成を互いに組み合わせる方式で用いてもよい。したがって、本発明は、ここに開示されている実施形態に制限されるものではなく、ここに開示されている原理及び新規な特徴と一致する最も広い範囲を与えるためのものである。
【０１４５】
本発明は、本発明の精神及び必須特徴から逸脱することなく、他の特定の形態に具体化することができる。そのため、上記の詳細な説明はいずれの面においても制約的に解釈してはならず、例示的なものとして考慮しなければならない。本発明の範囲は、添付した請求項の合理的解釈によって定めなければならず、本発明の均等範囲内における変更はいずれも本発明の範囲に含まれる。本発明は、ここに開示されている実施形態に制限されるものではなく、ここに開示されている原理及び新規な特徴と一致する最も広い範囲を有するものである。また、特許請求の範囲で明示的な引用関係を有しない請求項を結合して実施例を構成してもよく、出願後の補正によって新しい請求項として含めてもよい。
【産業上の利用可能性】
【０１４６】
上述したような本発明の実施形態は、様々な移動体通信システムに適用可能である。
【図５（ａ）】
2015516729.tif 000010
【図５（ｂ）】
2015516729.tif 000011
【図５（ｃ）】
2015516729.tif 000012
【図５（ｄ）】
2015516729.tif 000013
【図１】
2015516729.tif 000014
【図２】
2015516729.tif 000015
【図３】
2015516729.tif 000016
【図４】
2015516729.tif 000017
【図６】
2015516729.tif 000018
【図７】
2015516729.tif 000019
【図８】
2015516729.tif 000020
【図９】
2015516729.tif 000021
【図１０】
2015516729.tif 000022
【図１１】
2015516729.tif 000023
【図１２】
2015516729.tif 000024
【図１３】
2015516729.tif 000025
【図１４】
2015516729.tif 000026
【図１５】
2015516729.tif 000027
【図１６】
2015516729.tif 000028
【図１７】
2015516729.tif 000029
【図１８】
2015516729.tif 000030
【図１９】
2015516729.tif 000031
【手続補正書】
【提出日】平成26年9月19日(2014.9.19)
【手続補正１】
【補正対象書類名】特許請求の範囲
【補正対象項目名】全文
【補正方法】変更
【補正の内容】
【特許請求の範囲】
【請求項１】
無線通信システムにおいて端末（ＵＥ）が制御情報を受信する方法であって、
一つ以上のリソース集合の各リソース集合に対応する複数のリソース単位上でブラインド復号を実行するステップを含み、
前記リソース単位は、下りリンク帯域幅に関係するリソース単位のうち、強化物理下りリンク制御チャネル（ＥＰＤＣＣＨ）用のリソース単位であり、
前記一つ以上のリソース集合はそれぞれ、局部型ＥＰＤＣＣＨ送信又は分散型ＥＰＤＣＣＨ送信のいずれかのために設定されたものである、方法。
【請求項２】
前記リソース単位はそれぞれ、物理リソースブロック（ＰＲＢ）対であり、前記リソース集合はＰＲＢ集合である、請求項１に記載の方法。
【請求項３】
前記一つ以上のリソース集合それぞれを示す情報は、前記局部型ＥＰＤＣＣＨ送信又は前記分散型ＥＰＤＣＣＨ送信のうちいずれのために設定されているかが、上位層信号通知で前記ＵＥに伝達される、請求項１に記載の方法。
【請求項４】
前記ＥＰＤＣＣＨ用のリソース単位の決定は、上位層信号通知で伝達されたリソース集合に関係する情報に基づく、請求項１に記載の方法。
【請求項５】
前記一つ以上のリソース集合は、前記局部型ＥＰＤＣＣＨ送信用に設定された第１リソース集合及び前記分散型ＥＰＤＣＣＨ送信用に設定された第２リソース集合であり、前記ＥＰＤＣＣＨ用のリソース単位のうち、前記第１及び第２リソース集合の両方に含まれる重複リソース単位が存在するとき、前記ＵＥは、前記重複リソース単位では、前記局部型ＥＰＤＣＣＨ送信に関係する一つ以上のアンテナポートのうち、前記分散型ＥＰＤＣＣＨ送信に関係する一つ以上のアンテナポート以外の一つ以上のアンテナポートだけが有効であると見なす、請求項１に記載の方法。
【請求項６】
前記一つ以上のリソース集合は、前記局部型ＥＰＤＣＣＨ送信用に設定された第１リソース集合及び前記分散型ＥＰＤＣＣＨ送信用に設定された第２リソース集合であり、前記ＥＰＤＣＣＨ用のリソース単位のうち、前記第１及び第２リソース集合の両方に含まれる重複リソース単位が存在するとき、前記ＵＥは、前記重複リソース単位における局部型ＥＰＤＣＣＨのためのブラインド復号を実行するとき、あらかじめ設定されたアンテナポートを用いる、請求項１に記載の方法。
【請求項７】
前記あらかじめ設定されたアンテナポートは、上位層信号通知で伝達されたものである、請求項６に記載の方法。
【請求項８】
前記局部型ＥＰＤＣＣＨ送信に関係する前記一つ以上のアンテナポートはアンテナポート１０７、１０８、１０９、１１０を含み、前記分散型ＥＰＤＣＣＨ送信に関係する前記一つ以上のアンテナポートはアンテナポート１０７、１０９を含む、請求項５に記載の方法。
【請求項９】
前記ＰＲＢ対は４個の強化制御チャネル要素（ＥＣＣＥ）からなる、請求項２に記載の方法。
【請求項１０】
前記ＥＣＣＥは、４個の強化リソース要素グループ（ＥＲＥＧ）からなる、請求項９に記載の方法。
【請求項１１】
前記局部型ＥＰＤＣＣＨ送信は、集合レベルに応じた一つ以上の連続したＥＣＣＥに基づく、請求項１０に記載の方法。
【請求項１２】
前記分散型ＥＰＤＣＣＨ送信は、各ＰＲＢ対に含まれるＥＲＥＧからなるＥＣＣＥに基づく、請求項１０に記載の方法。
【請求項１３】
無線通信システムにおける端末であって、
受信モジュールと、
プロセッサと、を含み、
前記プロセッサは、一つ以上のリソース集合の各リソース集合に対応する複数のリソース単位上でブラインド復号を実行し、
前記リソース単位は、下りリンク帯域幅に関係するリソース単位のうち、強化物理下りリンク制御チャネル（ＥＰＤＣＣＨ）用のリソース単位であり、
前記一つ以上のリソース集合はそれぞれ、局部型ＥＰＤＣＣＨ送信又は分散型ＥＰＤＣＣＨ送信のいずれかのために設定されたものである、端末。
【国際調査報告】
2015516729.tif 000032
2015516729.tif 000033
2015516729.tif 000034
2015516729.tif 000035
2015516729.tif 000036
2015516729.tif 000037